(57)【要約】 【課題】  ２つの球状体からなる手指鍛錬具を、手から落ちにくくすることによって使い易くしかも連続して使用できるように構成する。【解決手段】  凹凸５のある表面を有しかつ片手で同時に握持可能な大きさを有する２つの球状体２，２を、可撓性ある紐３で相互に連結することにより形成されていて、上記紐３の長さが、該紐３の中間部を何れか一つの指に掛けて２つの球状体２，２を吊り下げた状態でこれらの球状体２，２を同時に握持可能な長さである。【選択図】        図２
0003105312.tif 000002
【実用新案登録請求の範囲】
【請求項１】
凹凸のある表面を有しかつ片手で同時に握持可能な大きさを有する２つの球状体を、可撓性ある紐で相互に連結することにより形成され、上記紐の長さが、該紐の中間部を何れか一つの指の基端部に掛けて２つの球状体を吊り下げたときこれらの球状体が何れも掌面に当接する長さであることを特徴とする手指鍛錬具。
【請求項２】
凹凸のある表面を有しかつ片手で同時に握持可能な大きさを有する２つの球状体を、可撓性ある紐で相互に連結することにより形成され、上記紐の長さが、該紐の中間部を何れか一つの指に掛けて２つの球状体を吊り下げた状態でこれらの球状体を同時に握持可能な長さであることを特徴とする手指鍛錬具。
【請求項３】
凹凸のある表面を有しかつ片手で同時に握持可能な大きさを有する２つの球状体を、指に掛けるためのリングを備えた可撓性ある紐で相互に連結することにより形成され、上記リングが何れか一つの指を挿入可能な大きさを有すると共に、該リングを経て２つの球状体を結ぶ上記紐の長さが、上記リングを指に填めて２つの球状体を吊り下げた状態でこれらの球状体を同時に握持可能な長さであることを特徴とする手指鍛錬具。
【請求項４】
上記リングが、上記紐の中間位置に固定的に取り付けられていることを特徴とする請求項３に記載の手指鍛錬具。
【請求項５】
上記リングが、上記紐に沿って移動自在であることを特徴とする請求項３に記載の手指鍛錬具。
【請求項６】
上記球状体の表面が、酸化チタン粒子を含む被膜でコーティングされていることを特徴とする請求項１から５の何れかに記載の手指鍛錬具。
【請求項７】
上記酸化チタン粒子が、多孔質のリン酸カルシウム膜で覆われていることを特徴とする請求項６に記載の手指鍛錬具。
【請求項８】
上記紐が鎖であることを特徴とする請求項１から７の何れかに記載の手指鍛錬具。
【請求項９】
上記球状体がクルミの核果であることを特徴とする請求項１から８の何れかに記載の手指鍛錬具。
【考案の詳細な説明】
【技術分野】
【０００１】
本考案は、手指を鍛錬することによって身体の機能回復や脳の活性化等を図る手指鍛錬具に関するものである。
【背景技術】
【０００２】
従来より、手指を動かすことによって身体の機能回復や脳の活性化等を図る健康法の一つとして、２個のクルミを片手で握り、これらのクルミを指で揉み動かすようにする方法が良く知られている。この方法は、指先に適度の刺激が加わるため、手指やその他身体の各種部分の機能回復に有効であるばかりでなく、脳細胞を活性化し、変調を来していた身体をバランスがとれた状態に復元させるのにも有効である。ところが、上記２個のクルミは互いに独立しているため、揉み動かしているときに次第にずれて手からはみ出し、床に落下したり、途中で握持を緩めて小休止するときに落下し易いという欠点があった。
【０００３】
そこで、このような問題を解決するため、例えば特許文献１には、２つの球状体を紐で相互に連結すると共に、一方の球状体に紐でゴムバンドを取り付け、このゴムバンドを手首に嵌めた状態で上記鍛錬を行うように構成した運動具が開示されている。
【０００４】
しかしながら、この改良された運動具は、２つの球状体とそれらを連結する紐とを一緒に握り込み、その状態で揉み動かすことが前提であるため、折れ曲がった紐が手の中で邪魔になったり、２つの球状体の間に挟まれて擦られることによって摩耗し、切れ易いなどの欠点がある。また、球状体が手からこぼれ落ちたとき、ゴムバンド付きの紐によって宙づりの状態になり、床面に落下してどこかに転がっていくのは防止することはできるが、球状体が掌からこぼれ落ちること自体は防止することはできず、その都度握りなおして鍛錬をやり直さなければならない。
【０００５】
【特許文献１】実開平８−３３５号公報
【考案の開示】
【考案が解決しようとする課題】
【０００６】
本考案の技術的課題は、２つの球状体からなる手指鍛錬具を、手から落ちにくくすることによって使い易くしかも連続して使用できるように構成することにある。
【課題を解決するための手段】
【０００７】
上記課題を解決するため、本考案の手指鍛錬具は、凹凸のある表面を有しかつ片手で同時に握持可能な大きさを有する２つの球状体を、可撓性ある紐で相互に連結することにより形成されていて、上記紐の長さが、該紐の中間部を何れか一つの指の基端部に掛けて２つの球状体を吊り下げたときこれらの球状体が何れも掌面に当接する長さであることを特徴とするものである。
【０００８】
また、本考案の他の手指鍛錬具によれば、凹凸のある表面を有しかつ片手で同時に握持可能な大きさを有する２つの球状体を、可撓性ある紐で相互に連結することにより形成されていて、上記紐の長さが、該紐の中間部を何れか一つの指に掛けて２つの球状体を吊り下げた状態でこれらの球状体を同時に握持可能な長さであることを特徴としている。
【０００９】
本考案の更に他の手指鍛錬具によれば、凹凸のある表面を有しかつ片手で同時に握持可能な大きさを有する２つの球状体を、指に掛けるためのリングを備えた可撓性ある紐で相互に連結することにより形成され、上記リングが何れか一つの指を挿入可能な大きさを有すると共に、該リングを経て２つの球状体を結ぶ上記紐の長さが、上記リングを指に填めて２つの球状体を吊り下げた状態でこれらの球状体を同時に握持可能な長さであることを特徴としている。
【００１０】
本考案において、上記リングは、上記紐の中間位置に固定的に取り付けられていても、上記紐に沿って移動自在であっても良い。
【００１１】
本考案において好ましくは、上記球状体の表面が酸化チタン粒子を含む被膜でコーティングされていることであり、また、上記酸化チタン粒子は、多孔質のリン酸カルシウム膜で覆われていることが望ましい。
【００１２】
また、本考案の好ましい具体例においては、上記紐が鎖であり、また、上記球状体がクルミの核果である。
【考案の効果】
【００１３】
本考案の手指鍛錬具は、２つの球状体を結ぶ紐を例えば中指に掛けたとき、２つの球状体がちょうど掌の位置にあってそれらをそのまま握持できるようになっているから、上記紐を単に指に掛けて手を握るだけで、上記２つの球状体を同時にかつ確実に握持することができ、このため誰でも簡単に使用することができる。しかも、上記紐を指に掛けておきさえすれば、球状体を揉み動かしているときに該球状体が位置ずれして手からはみ出すことはなく、途中で握持を緩めて小休止するときでもそれらが手からこぼれ落ちることはない。また、上記球状体により手指の内側面（掌側の面）が刺激されるだけでなく、上記紐を通じて指の背側面（手の甲側の面）にも適度の刺激が加わるため、機能回復効果に勝れる。
【考案を実施するための最良の形態】
【００１４】
図１は本考案に係る手指鍛錬具の第１実施形態を示すもので、この手指鍛錬具１Ａは、表面に凹凸５を有する２つの球状体２，２を、可撓性ある紐３で相互に連結することにより形成されている。
【００１５】
上記球状体２は、球状または楕円体状あるいはそれらに類する全体形状をしていて、その大きさは、２つを片手で同時に握持できる程度である。具体的には、個々の球状体２における経緯方向の寸法ｍ，ｎが３０〜４０ｍｍ程度であることが好ましいが、このような寸法に限定されるものではない。また、各球状体２の表面には、不規則な深さと長さと方向とを有する皺状の凹凸５が形成されている。
【００１６】
上記球状体２は、合成樹脂、木材、アルミニウムやその合金などの成形が容易で軽量な金属等によって成形することができるが、好ましくは、植物であるクルミの核果を乾燥させたものを使用することである。図にはこのようなクルミの核果からなる球状体が示されている。
【００１７】
なお、上記凹凸５は、図示したような皺状のものに限らず、球状体２の表面に複数のいぼ状の突起を設けることにより形成したものであっても、あるいは、経緯方向に複数の溝を設けることにより形成したものであっても、それらを適宜組み合わせたものであっても良い。このようないぼ状あるいは溝状の凹凸５は、上記球状体２を合成樹脂やアルミニウムなどで成形する場合に簡単に形成することができる。
【００１８】
上記紐３は、柔軟で必要な強度を有するものであればどのようなものでも良く、例えば布製や合成樹脂製の線状あるいは帯状の紐であっても良いが、好ましくは図示したような鎖を用いることである。この鎖は、金属製又は合成樹脂製の鎖輪６を順次連繋することによって形成されたもので、この鎖輪６の好ましい大きさは、横幅が３〜４ｍｍ、長さが３〜５ｍｍ程度である。
【００１９】
また、上記紐３の長さは、図２に示すように、該紐３の中間部を中指の基端部に掛けて２つの球状体２，２を吊り下げたとき、これらの球状体２，２が何れも掌面に当接するような長さ、換言すれば、図３に示すように２つの球状体２，２を同時に握持可能な長さである。具体的には、該紐３の長さを７０〜８０ｍｍ程度とすれば上述した条件をほぼ満足することができるが、手指の長さや掌の大きさ等には個人差もあるので、必ずしもこのような数値範囲に限定されない。なお、図示したように紐３を中指に掛ける代わりに、人差し指又は薬指に掛けたときも同じである。
【００２０】
上記２つの球状体２，２及び紐３のうち少なくとも球状体２，２の表面は、図４に示すように、光触媒の一種である酸化チタン粒子１０を含む薄い被膜１１でコーティングされていることが望ましい。この酸化チタン粒子１０は、粉末状あるいは顆粒状をした微細な粒子であって、その表面は、図５に示すように、多孔質のリン酸カルシウム膜１２で覆われており、これにより、この酸化チタン粒子１０が球状体２に直接接触しないようになっている。この場合、必ずしも個々の酸化チタン粒子１０がリン酸カルシウム膜１２で覆われているわけではなく、複数の酸化チタン粒子が塊状となってリン酸カルシウム膜１２で覆われているものもある。
【００２１】
このように、球状体２の表面に酸化チタンをコーティングすると、該酸化チタンの光触媒作用により、該球状体２に付着した細菌の除去や、汚れの分解等が促進され、該球状体２を常に衛生的できれいな状態に保つことができる。しかも、リン酸カルシウム膜１２の介在によって酸化チタン粒子１０が球状体２に直接接触するのが防止されているため、該球状体２自身が酸化チタンの光触媒作用によって劣化するのを防止することができる。
【００２２】
上記構成を有する手指鍛錬具１Ａは、図２に示すように、紐３の中間部を例えば中指に掛け、その状態から図３に示すように２つの球状体２，２を同時に握持し、指で揉み動かすようにして手指の鍛錬を行うものである。この場合、上記紐３を単に指に掛けて手を握るだけで、上記２つの球状体２，２を同時にかつ確実に握持することができるため、誰でも簡単に使用することができる。しかも、上記紐３を指に掛けておきさえすれば、球状体２，２を揉み動かしているときにこれらの球状体２，２が位置ずれして手からはみ出すことはなく、途中で握持を緩めて小休止するときでも、それらが手からこぼれ落ちることはない。また、球状体２，２により手指の内側面（掌側の面）が刺激されるだけでなく、上記紐３を通じて指の背側面（手の甲側の面）にも適度の刺激が加わるため、機能回復効果に勝れる。
更に、使用により球状体２が汚れても、酸化チタンの光触媒作用により細菌の除去や汚れの分解等が促進されるため、該球状体２を常に衛生的できれいな状態に保つことができるばかりでなく、清掃作業も容易である。
【００２３】
図６は本考案の第２実施形態を示すもので、この第２実施形態の手指鍛錬具１Ｂが上記第１実施形態の手指鍛錬具１Ａと異なる点は、紐３にリング１５が設けられている点である。即ち、２つの球状体２，２を結ぶ紐３の中間部には、指輪状の円形リング１５が固定的に取り付けられ、このリング１５を指に填めた状態で手指の鍛錬を行うように構成されている。上記リング１５は、金属又は合成樹脂といったような硬質又は半硬質の素材からなるもので、中指、人差し指、薬指の何れか一つの指を挿入可能な大きさを有している。また、上記紐３は、上記リング１５の連結部１５ａと各球状体２，２とを結ぶ２つの紐部分３ａ，３ａに分かれているが、これらの紐部分３ａ，３ａの長さを足した紐３の合計長さは、図示したように、上記リング１５を指に填めて２つの球状体２，２を吊り下げた状態でこれらの球状体２，２を同時に握持可能な長さである。
なお、上記連結部１５ａをリング１５に枢軸の回りに回転自在なるように連結しておけば、手の中で２つの球状体２，２の位置をくるくると変えても、２つの紐部分３ａ，３ａが相互に絡まり合うことがないので、揉み動作を円滑かつ効率よく行うことができる。
【００２４】
図７及び図８は、それぞれ手指鍛錬具の第３及び第４実施形態を示すもので、これらの手指鍛錬具１Ｃ，１Ｄが上記第２実施形態の手指鍛錬具１Ｂと異なる点は、何れもリング１５が紐３に沿って移動自在となっている点である。このうち図７に示す第３実施形態の手指鍛錬具１Ｃは、円環状をしたリング１５に紐３を直接挿通しており、これに対して第４実施形態の手指鍛錬具１Ｄでは、円環状をしたリング１５の一部に挿通部１５ｂを別に設け、この挿通部１５ｂに紐３を移動自在に挿通している。なお、上記挿通部１５ｂは、リング１５の一部を弧状に折り曲げることによって該リング１５と一体に形成されているが、リング１５とは別体に形成し、該リング１５の側面に枢軸で回転自在に連結することもできる。
なお、上記第２〜第４実施形態における上述したこと以外の構成については、第１及び第２実施形態と実質的に同じである。
【００２５】
上記球状体２は、金色や銀色あるいは青や緑といったように、何らかの色に着色されていても良い。この場合、２つの球状体２，２を同じ色に着色しても異なる色に着色しても良く、また、何れか一方の球状体２だけを着色しても良い。更に、着色する場合には、球状体全体を着色しても、適当な一部だけを部分的に着色しても良く、複数の色を着色しても良い。球状体２としてクルミの核果を使用する場合には、クルミが自然に有する色以外の色彩に着色される。
また、上記２つの球状体２，２のうち少なくとも一方には、永久磁石を内蔵することもできる。
【図面の簡単な説明】
【００２６】
【図１】本考案に係る手指鍛錬具の第１実施形態を示す側面図である。
【図２】図１の手指鍛錬具を中指に掛けた状態を示す正面図である。
【図３】図１の手指鍛錬具の使用状態を示す斜視図である。
【図４】球状体の部分拡大断面図である。
【図５】酸化チタン粒子の拡大断面図である。
【図６】本考案に係る手指鍛錬具の第２実施形態を示す、中指に掛けた状態での正面図である。
【図７】本考案に係る手指鍛錬具の第３実施形態を示す側面図である。
【図８】本考案に係る手指鍛錬具の第４実施形態を示す側面図である。
【符号の説明】
【００２７】
１Ａ，１Ｂ，１Ｃ，１Ｄ      手指鍛錬具
２      球状体
３      紐
１０      酸化チタン粒子
１１      被膜
１２      リン酸カルシウム膜
１５      リング
【図１】
0003105312.tif 000003
【図２】
0003105312.tif 000004
【図３】
0003105312.tif 000005
【図４】
0003105312.tif 000006
【図５】
0003105312.tif 000007
【図６】
0003105312.tif 000008
【図７】
0003105312.tif 000009
【図８】
0003105312.tif 000010